(57)【特許請求の範囲】
【請求項１】
エレメント列の両端部から滑動して、該エレメント列をそれぞれ閉止可能な２つのスライダーを備えて成るスライドファスナーに用いられる開放防止部材であって、
前記２つのスライダーそれぞれにおけるスライダー本体と引き手との少なくとも一方に形成されている孔部を挿通する紐状体または棒状体と、２つの前記紐状体または棒状体で前記スライダー本体または引き手にそれぞれ取付けられ、互いに係合／離脱可能な第１および第２の対を成す係合部材とを含み、
前記第１の係合部材は、枠状の部分を有し、該枠状の部分の一部分が前記紐状体または棒状体に連結され、他の部分が前記第２の係合部材側に配置され、前記第２の係合部材は、前記紐状体または棒状体に連結される基材と、該基材上に搭載され、前記枠状の部分の幅よりも、厚みが薄く、かつ相対的に幅が広く形成される部分を有する抜け止め部材とを備えて構成されることを特徴とするスライドファスナーの開放防止部材。
【請求項２】
スライドファスナーに用いられる開放防止部材であって、
スライダーにおけるスライダー本体と引き手との少なくとも一方に形成されている孔部を挿通する紐状体または棒状体と、
前記紐状体または棒状体で前記スライダー本体または引き手に取付けられる第１の係合部材と、
エレメント列の前記スライダーによる閉止側端部付近に取付けられる取付き片と、
前記取付き片に取付けられ、前記第１の係合部材と対を成し、互いに係合／離脱可能な第２の係合部材とを含み、
前記第１の係合部材または第２の係合部材の一方は、枠状の部分を有し、該枠状の部分の一部分が前記紐状体または棒状体、もしくは取付き片に連結され、他の部分が前記第１の係合部材または第２の係合部材の他方側に配置され、前記第１の係合部材または第２の係合部材の他方側は、前記枠状の部分の幅よりも、厚みが薄く、かつ相対的に幅が広く形成される部分を有する抜け止め部材で構成されることを特徴とするスライドファスナーの開放防止部材。
【請求項３】
前記紐状体は、結束バンドから成ることを特徴とする請求項１または２記載のスライドファスナーの開放防止部材。
【請求項４】
前記棒状体は、ナスカンまたはＤカンの棒状の部分から成ることを特徴とする請求項１または２記載のスライドファスナーの開放防止部材。
【請求項５】
前記基材は、前記紐状体または棒状体を通す孔の形成される脚部と、該脚部の上に固着され、前記枠状の部分の幅よりも狭く形成される頭部とを備えて構成され、
前記抜け止め部材は、前記頭部上に搭載されることを特徴とする請求項１記載のスライドファスナーの開放防止部材。
【請求項６】
前記基材は、前記頭部が平坦な、脚付の釦であることを特徴とする請求項５記載のスライドファスナーの開放防止部材。
【請求項７】
前記基材は、その頭部に、前記脚部の第１の係合部材側に、該脚部から所定の間隔を開けて、倒れ込み防止用のカバーを有することを特徴とする請求項５または６記載のスライドファスナーの開放防止部材。
【請求項８】
前記取付き片は、表層側の基台と、裏面側の受け部材と、前記スライダーによる閉止側端部における前記エレメント列の隙間を通して前記基台と受け部材とを連結する連結部材とを備えて構成されることを特徴とする請求項２記載のスライドファスナーの開放防止部材。
【請求項９】
前記基台および受け部材は、矩形の板状部材が、直線で半分に領域分割され、分割された２つの領域では、前記直線方向に相互に位相が半周期ずれた山と谷が形成される一対の挟持片から成ることを特徴とする請求項８記載のスライドファスナーの開放防止部材。
【請求項１０】
前記取付き片は、弾発性を有するクリップに、前記第２の係合部材を取付けるためのフックを取付けて構成されることを特徴とする請求項２記載のスライドファスナーの開放防止部材。
【請求項１１】
前記取付き片は、板状の基台に、前記第２の係合部材を取付けるためのフックを取付けて構成され、前記基台がファスナーテープに縫付けまたは接着されることを特徴とする請求項２記載のスライドファスナーの開放防止部材。
【請求項１２】
エレメント列の両端部から滑動して、該エレメント列をそれぞれ閉止可能な２つのスライダーを備えて成るスライドファスナーに用いられる開放防止部材であって、
前記２つのスライダーそれぞれにおけるスライダー本体と引き手との少なくとも一方に形成されている孔部を挿通する紐状体または棒状体と、
２つの前記紐状体または棒状体で前記スライダー本体と引き手との少なくとも一方にそれぞれ取付けられ、互いに係合／離脱可能な第１および第２の対を成す係合部材とを含み、
前記第１の係合部材は、枠状の部分を有し、該枠状の部分の内側には膜が貼付けられており、かつその膜には切れ目が形成されて成り、該枠状の部分の一部分が前記紐状体または棒状体に連結され、他の部分が前記第２の係合部材側に配置され、前記第２の係合部材は、前記紐状体または棒状体に連結される部分と、その連結される部分より拡径する部分とを備え、前記拡径する部分は前記枠状の部分よりも狭い幅に形成され、該拡径する部分が前記切れ目から侵入して、前記膜で抜け止めされることを特徴とするスライドファスナーの開放防止部材。
【請求項１３】
前記請求項１〜１２の何れか１項に記載の開放防止部材を、前記スライドファスナーに備えることを特徴とするバッグ。
【発明の詳細な説明】
【技術分野】
【０００１】
本発明は、スライドファスナーに用いられ、不所望にファスナーが開いてしまうことを防止する開放防止部材およびそれを備えるバッグに関する。
【背景技術】
【０００２】
バッグなどにおいて、その開口部をスライドファスナーによって開閉することで、中身の出入れが行い易くなる。しかしながら、スライドファスナーは、不所望にファスナー（エレメント列）が開いてしまう、つまりスライダーがずれてしまうと、開いた開口部から荷物が落ちたりする。また、開閉し易い分、スリなどに遭い易い。特に、バックパック（リュックサック）の場合、目の届かない背後に背負われるので、使用者がファスナーが開いていても分からず、そのような問題が顕著である。
【０００３】
そのため、たとえば特許文献１や特許文献２が提案されている。特許文献１では、ファスナーのエレメント列において、スライダーの閉止状態での停止位置の上に、フラップを被せている。また、特許文献２では、前記停止位置において、スライダーの引き手の先端を、ロック部に差込んで、ダイヤルでロックするようになっている。
【先行技術文献】
【特許文献】
【０００４】
【特許文献１】特開平１０−５７１３６号公報
【特許文献２】実用新案登録第３１９７６００号
【発明の概要】
【発明が解決しようとする課題】
【０００５】
しかしながら、上述の従来技術は、バッグなどの製造段階で、予め開放防止のための構成を造り込んでおく必要があり、使用者が気に入って購入した後のバッグなどには、後付けできないという問題がある。
【０００６】
また、エレメント列の両端部から滑動して、該エレメント列をそれぞれ閉止可能な２つのスライダーを備えて成る両開きのスライドファスナーの場合、２つのスライダーの停止位置は、任意であり、特許文献１や特許文献２による開放防止の対策は採用することができない。両開きのスライドファスナーは、バッグなどでは荷物の出し入れがし易いものの、スライダーがエレメント列の端部にある場合よりも途中箇所にある場合は、荷物の該スライダーへの接触や、該スライダーの壁面などの外部への接触が起こり易く、また、バッグ等の生地（ファスナーテープ）のストレス（テンション）も加わり易く、格段に、該スライダーが、自然に（不所望に）、ずれ易く（ファスナー（エレメント列）が開き易い）、問題が大きい。
【０００７】
本発明の目的は、スライドファスナーにおいて、バッグなどで後付け可能で、不所望なファスナーの開放を防止することができるスライドファスナーの開放防止部材およびそれを備えるバッグを提供することである。
【課題を解決するための手段】
【０００８】
本発明のスライドファスナーの開放防止部材は、エレメント列の両端部から滑動して、該エレメント列をそれぞれ閉止可能な２つのスライダーを備えて成るスライドファスナーに用いられる開放防止部材であって、前記２つのスライダーそれぞれにおけるスライダー本体と引き手との少なくとも一方に形成されている孔部を挿通する紐状体または棒状体（以下、紐または棒状体と言う）と、２つの前記紐または棒状体で前記スライダー本体または引き手にそれぞれ取付けられ、互いに係合／離脱可能な第１および第２の対を成す係合部材とを含み、前記第１の係合部材は、枠状の部分を有し、該枠状の部分の一部分が前記紐または棒状体に連結され、他の部分が前記第２の係合部材側に配置され、前記第２の係合部材は、前記紐または棒状体に連結される基材と、該基材上に搭載され、前記枠状の部分の幅よりも、厚みが薄く、かつ相対的に幅が広く形成される部分を有する抜け止め部材とを備えて構成されることを特徴とする。
【０００９】
上記の構成によれば、エレメント列の両端部から滑動して、該エレメント列をそれぞれ閉止可能な２つのスライダーを備えて成る両開きのスライドファスナーにおいて、このスライドファスナーは、２つのスライダーを突き合わせるように前記エレメント列の任意の箇所までスライダーを移動させることでファスナー（前記エレメント列）を閉じることができる。しかしながら、スライダーが前記エレメント列の端部にある場合よりも途中箇所にある場合は、該スライダーの、内部の荷物への接触や、壁面などの外部への接触が起こり易く、またバッグ等の生地（ファスナーテープ）のストレス（テンション）などによって、該２つのスライダーが不所望に離間し、ファスナー（前記エレメント列）が開き易い。
【００１０】
そこで、そのような不所望なファスナー（前記エレメント列）の開放を防止する部材を設けるにあたって、その部材を、前記２つのスライダーそれぞれにおけるスライダー本体と引き手との少なくとも一方に形成されている孔部を挿通する紐または棒状体と、その紐または棒状体で前記スライダー本体または引き手にそれぞれ取付けられて、互いに係合／離脱可能な第１および第２の対を成す係合部材とによって構成する。すなわち、スライダーは、一般に、前記エレメント列を開閉するスライダー本体と、前記スライダー本体に連結され、使用者が把持して（摘まんで）前記スライダー本体を移動させる引き手とを備えて構成される。そして、たとえばスライダー本体には、環状に形成される引き手の一端部が遊挿して前記連結を実現する孔が形成されており、この孔や、前記引き手の環状の一端部が形成する孔、或いは引き手の他端部において、紐などを通すために予め形成される孔などの何れかの孔部に、紐または棒状体を挿通し、その紐または棒状体で、前記第１および第２の対を成す係合部材をぶら下げる。
【００１１】
そして、第１の係合部材は、リング状などの枠状の部分を有し、該枠状の部分の一部分が前記紐または棒状体に連結され、他の部分が前記第２の係合部材側に配置される。これに対して、第２の係合部材は、前記紐または棒状体に連結される基材と、該基材上に搭載される抜け止め部材とを備えて構成され、抜け止め部材が、前記枠状の部分の幅よりも、厚みが薄いことで、枠の中を通して係合／離脱が可能になり、かつ相対的に幅の広い部分を有することで、その枠で、抜け止め部材が囲繞される。つまり、枠の周囲に引っ掛かって、抜け止めが可能となる（係合状態を維持する）。
【００１２】
したがって、両開きのスライドファスナーにおいて、不所望なファスナー（前記エレメント列）の開放を防止することができ、開いたファスナーの口から荷物が落ちたりすることを防止したり、ファスナーを開け難くし、スリなどに対して防犯効果を得たりすることができる。
【００１３】
そして、そのような開放防止部材を設けるにあたって、スーツケースのスライドファスナーのファスナー本体のように、所謂南京錠のＵ字の掛金が通る孔を設けておくような、予めそのような開放防止部材のための細工を施していないスライドファスナーにおいても、ファスナー本体か引き手に形成されている孔に紐または棒状体を通して、第１および第２の対を成す係合部材をぶら下げるだけで、後付けで、開放を防止することができる。
【００１４】
また、本発明のスライドファスナーの開放防止部材は、スライドファスナーに用いられる開放防止部材であって、スライダーにおけるスライダー本体と引き手との少なくとも一方に形成されている孔部を挿通する紐または棒状体と、前記紐または棒状体で前記スライダー本体または引き手に取付けられる第１の係合部材と、エレメント列の前記スライダーによる閉止側端部付近に取付けられる取付き片と、前記取付き片に取付けられ、前記第１の係合部材と対を成し、互いに係合／離脱可能な第２の係合部材とを含み、前記第１の係合部材または第２の係合部材の一方は、枠状の部分を有し、該枠状の部分の一部分が前記紐または棒状体、もしくは取付き片に連結され、他の部分が前記第１の係合部材または第２の係合部材の他方側に配置され、前記第１の係合部材または第２の係合部材の他方側は、前記枠状の部分の幅よりも、厚みが薄く、かつ相対的に幅が広く形成される部分を有する抜け止め部材で構成されることを特徴とする。
【００１５】
上記の構成によれば、エレメント列の一端部から往復に滑動して、該エレメント列を開閉可能なスライダーを備えて成る片開きのスライドファスナーにおいて、不所望なファスナー（前記エレメント列）の開放を防止する部材を設けるにあたって、その部材を、スライダーの側ではスライダー本体と引き手との少なくとも一方に形成されている孔部を挿通する紐または棒状体と、その紐または棒状体で前記スライダー本体または引き手にそれぞれ取付けられる第１の係合部材とによって構成する。一方、エレメント列の前記スライダーによる閉止側端部付近には、取付き片が取付けられ、またこの取付き片には、前記第１の係合部材と対を成し、互いに係合／離脱可能な第２の係合部材を設ける。
【００１６】
そして、第１の係合部材または第２の係合部材の一方は、リング状などの枠状の部分を有し、該枠状の部分の一部分が前記紐または棒状体、もしくは取付き片に連結され、他の部分が前記第１の係合部材または第２の係合部材の他方側に配置される。これに対して、第１の係合部材または第２の係合部材の他方では、前記抜け止め部材が、前記枠状の部分の幅よりも、厚みが薄いことで、枠の中を通して係合／離脱が可能になり、かつ相対的に幅の広い部分を有することで、その枠で、抜け止め部材が囲繞される。つまり、枠の周囲に引っ掛かって、抜け止めが可能となる（係合状態を維持する）。
【００１７】
したがって、片開きのスライドファスナーにおいて、不所望なファスナー（前記エレメント列）の開放を防止することができ、開いたファスナーの口から荷物が落ちたりすることを防止したり、ファスナーを開け難くし、スリなどに対して防犯効果を得たりすることができる。
【００１８】
そして、そのような開放防止部材を設けるにあたって、ファスナー本体か引き手に形成されている孔に紐または棒状体を通して、第１の係合部材をぶら下げ、エレメント列の閉止側端部付近にネジなどで取付き片を取付けるだけで、後付けで、開放を防止することができる。
【００１９】
さらにまた、本発明のスライドファスナーの開放防止部材では、両開きのスライドファスナーで、前記紐状体は、結束バンドから成ることを特徴とする。
【００２０】
上記の構成によれば、抜け止め部材を枠に通すかどうかで前記係合／離脱可能な第１および第２の係合部材を、紐状体によってスライダーのスライダー本体や引き手に取付けるにあたって、その紐状体に結束バンドを用いる。
【００２１】
したがって、第１および第２の係合部材を極めて容易に取付けることができるとともに、外れ難く、また強度も高く、高い信頼性で、ファスナー（エレメント列）の不所望な開放を防止することができる。
【００２２】
また、本発明のスライドファスナーの開放防止部材では、前記結束バンドは、片側にラック状の歯が形成された帯状体と、該帯状体の一端部に設けられ、該帯状体が挿通する溝を有するとともに、その溝の内側の片面には、前記歯に噛合う逆止爪を有する頭部とを備えて構成されることを特徴とする。
【００２３】
上記の構成によれば、第１および第２の係合部材をスライダー本体や引き手にぶら下げるにあたって、そのぶら下げる紐状体を結束バンドで構成することで、第１および第２の係合部材は、その結束バンドの環に、前記スライダー本体や引き手の孔部と共に通されればよい。
【００２４】
したがって、第１および第２の係合部材のスライダー本体や引き手への取付けを、極めて手軽に、かつ汎用品を用いて低コストに行うことができる。
【００２５】
さらにまた、本発明のスライドファスナーの開放防止部材では、前記棒状体は、ナスカンまたはＤカンの棒状の部分から成ることを特徴とする。
【００２６】
上記の構成によれば、第１および第２の係合部材をスライダー本体や引き手にぶら下げるにあたって、そのぶら下げる棒状体をナスカンまたはＤカンで構成することで、第１および第２の係合部材は、そのナスカンまたはＤカンの環に、前記スライダー本体や引き手の孔部と共に通されればよい。
【００２７】
したがって、第１および第２の係合部材のスライダー本体や引き手への取付けを、極めて手軽に、かつ汎用品を用いて低コストに行うことができる。
【００２８】
また、本発明のスライドファスナーの開放防止部材では、前記基材は、前記紐または棒状体を通す孔の形成される脚部と、該脚部の上に固着され、前記枠状の部分の幅よりも狭く形成される頭部とを備えて構成され、前記抜け止め部材は、前記頭部上に搭載されることを特徴とする。
【００２９】
上記の構成によれば、第１の係合部材の枠状の部分に、第２の係合部材の抜け止め部材を通して係合／離脱可能とするにあたって、抜け止め部材が枠状の部分の上に被さり、かつ紐または棒状体を容易に通すことができるように、第２の係合部材には、或る程度の高さを有する脚部を備え、その脚部の上部に、前記枠状の部分に嵌ることもできる大きさの頭部を載せて、前記基材を構成し、その頭部の上に前記抜け止め部材を搭載する。
【００３０】
したがって、脚部で抜け止め部材が或る程度の高さに浮上がることで、第１および第２の係合部材の係合／離脱作業が容易である。
【００３１】
さらにまた、本発明のスライドファスナーの開放防止部材では、前記基材は、前記頭部が平坦な、脚付の釦であることを特徴とする。
【００３２】
上記の構成によれば、前記の脚部と頭部とを有し、前記脚部の下部には糸通し孔を有する釦で、特に頭部が平坦で、抜け止め部材を取付け易いものは、前記基材に好適である。
【００３３】
また、本発明のスライドファスナーの開放防止部材では、前記基材は、その頭部に、前記脚部の第１の係合部材側に、該脚部から所定の間隔を開けて、倒れ込み防止用のカバーを有することを特徴とする。
【００３４】
上記の構成によれば、第２の係合部材の抜け止め部材に、第１の係合部材の枠状の部分が引っ掛けられ、引っ張られても、脚部から所定の間隔を開けて設けられたカバーによって、第２の係合部材は倒れ難くなる。
【００３５】
したがって、前記抜け止め部材が枠状の部分から外れ難くなる。
【００３６】
さらにまた、本発明のスライドファスナーの開放防止部材では、前記第１の係合部材における枠状の部分および前記第２の係合部材における抜け止め部材は、装飾部材から成ることを特徴とする。
【００３７】
上記の構成によれば、第１および第２の係合部材の正面から見える部分に、たとえばラメ粉を塗ったり、メッキを施したりというような装飾を施すことで、意匠性を向上し、前記の後付けによる該開放防止部材の取付けに対して、ファスナー部分の違和感を抑えることができる。また、前記の正面から見える部分を、蛍光体で形成したり、蛍光材料を含有して形成することで、蛍光体が夜間に光って、交通安全にも寄与することができる。
【００３８】
また、本発明のスライドファスナーの開放防止部材では、前記枠状の部分は、ハート形に形成されることを特徴とする。
【００３９】
上記の構成によれば、前記枠状の部分は、無端環（リング）状であってもよく、或いは一部が途切れていてもよい。また、枠も、完全な円ではなく、抜け止め部材を出し入れでき、かつ通ったら、簡単には抜けないように、抜け止め部材の大きさに合わせた狭幅部分を有するいびつな形状であってもよい。その場合、ハート形は意匠性が高く、好適である。
【００４０】
さらにまた、本発明のスライドファスナーの開放防止部材では、前記取付き片は、表層側の基台と、裏面側の受け部材と、前記スライダーによる閉止側端部における前記エレメント列の隙間を通して前記基台と受け部材とを連結する連結部材とを備えて構成されることを特徴とする。
【００４１】
上記の構成によれば、取付き片は、ファスナーテープの前記閉止側端部で、表裏の基台と受け部材とが、エレメント列の隙間を通る連結部材で連結されて取付けられるので、片開きのスライドファスナーに開放防止部材を後着けすることができる。
【００４２】
また、本発明のスライドファスナーの開放防止部材では、前記基台および受け部材は、矩形の板状部材が、直線で半分に領域分割され、分割された２つの領域では、前記直線方向に相互に位相が半周期ずれた山と谷が形成される一対の挟持片から成ることを特徴とする。
【００４３】
上記の構成によれば、上述の基台および受け部材を作成するにあたって、板状部材を基材として、それに山と谷とを形成したものを用いることで、前記基台および受け部材は、ファスナーテープを挟んで、相互に噛合い、ずれなくすることができる。しかしながら、それらを連結する連結部材を、たとえばビスとナットで実現する場合、前記板状部材には、ビスが遊挿する孔が形成される。一方、一対の基台および受け部材において、前記の山と谷は、相互に位相が半周期ずれていないと、同じビス孔で重ねると、山同士が当り、噛合わないので、それぞれ別の部品を作成する必要がある。
【００４４】
そこで、前記基台および受け部材として、正方形や長方形の板状部材を基材として、それを直線で半分に領域分割し、分割した２つの領域に、前記直線方向に相互に位相が半周期ずれた山と谷とを形成しておくことで、前記基台および受け部材として同じ部品を用いても、片方を１８０°回転させることで、前記山と谷とを噛合わせることができる。これによって、部品点数を削減することができる。
【００４５】
さらにまた、本発明のスライドファスナーの開放防止部材では、前記取付き片は、弾発性を有するクリップに、前記第２の係合部材を取付けるためのフックを取付けて構成されることを特徴とする。
【００４６】
上記の構成によれば、ファスナーテープの前記閉止側端部の止め具を覆うように、或いはエレメント列を覆うように、クリップを挟むことで、片開きのスライドファスナーに開放防止部材を後着けすることができる。
【００４７】
また、本発明のスライドファスナーの開放防止部材では、前記取付き片は、板状の基台に、前記第２の係合部材を取付けるためのフックを取付けて構成され、前記基台がファスナーテープに縫付けまたは接着されることを特徴とする。
【００４８】
上記の構成によれば、ファスナーテープの前記閉止側端部に取付き片を縫付けまたは接着することで、片開きのスライドファスナーに開放防止部材を後着けすることができる。
【００４９】
さらにまた、本発明のスライドファスナーの開放防止部材は、エレメント列の両端部から滑動して、該エレメント列をそれぞれ閉止可能な２つのスライダーを備えて成るスライドファスナーに用いられる開放防止部材であって、前記２つのスライダーそれぞれにおけるスライダー本体と引き手との少なくとも一方に形成されている孔部を挿通する紐または棒状体と、２つの前記紐または棒状体で前記スライダー本体と引き手との少なくとも一方にそれぞれ取付けられ、互いに係合／離脱可能な第１および第２の対を成す係合部材とを含み、前記第１の係合部材は、枠状の部分を有し、該枠状の部分の内側には膜が貼付けられており、かつその膜には切れ目が形成されて成り、該枠状の部分の一部分が前記紐または棒状体に連結され、他の部分が前記第２の係合部材側に配置され、前記第２の係合部材は、前記紐または棒状体に連結される部分と、その連結される部分より拡径する部分とを備え、前記拡径する部分は前記枠状の部分よりも狭い幅に形成され、該拡径する部分が前記切れ目から侵入して、前記膜で抜け止めされることを特徴とする。
【００５０】
好ましくは、前記膜はゴム板から成り、前記切れ目は前記ゴム板の略中心から３つ以上の方向に伸びて形成されることを特徴とする。
【００５１】
上記の構成によれば、第２の係合部材が第１の係合部材の枠状の部分に引っ掛かるのではなく、枠状の部分に張ったゴムベラ、ウレタン、或いは布地などの膜に、たとえば３方以上のスリットや、釦穴のような切れ目を入れて、その切れ目が開くようにして、その切れ目に第２の係合部材における玉形状などの拡径する部分を通して、前記係合／離脱を実現する。
【００５２】
したがって、たとえば玉の曲面がスリットを乗越え、かつその際のゴムの粘着が摩擦になり、抜け止めになる。これによって、前記係合／離脱を簡単に実現することができる。
【００５３】
また、本発明のバッグは、前記の開放防止部材を、前記スライドファスナーに備えることを特徴とする。
【００５４】
上記の構成によれば、スライドファスナーが不所望に開いてしまうことを予防できるバッグを実現することができる。バッグとしては、バックパック（リュックサック）は、目の届かない背後に背負われるので、ファスナー（エレメント列）が開いていても分からず、開かないようにする本発明の開放防止部材は、特に有効である。
【発明の効果】
【００５５】
本発明のスライドファスナーの開放防止部材およびそれを備えるバッグは、以上のように、スライダー本体と引き手との少なくとも一方に紐または棒状体を通して、互いに係合／離脱可能な第１および第２の対を成す係合部材をぶら下げるので、既存のスライドファスナーに、後付けで、２つのスライダーが不所望に離間してファスナー（エレメント列）が開いてしまうことを防止することができる。
【図面の簡単な説明】
【００５６】
【図１】本発明の実施の第１の形態に係る開放防止部材の斜視図である。
【図２】図１の開放防止部材の分解斜視図である。
【図３】図１および図２の開放防止部材における重要部品である基材を、図２とはひっくり返して示す斜視図である。
【図４】本発明の実施の第２の形態に係る開放防止部材の取付け前の斜視図である。
【図５】本発明の実施の第２の形態に係る開放防止部材の他の例の取付け前の斜視図である。
【図６】本発明の実施の第２の形態に係る開放防止部材のさらに他の例の取付け前の斜視図である。
【図７】本発明の実施の第３の形態に係る開放防止部材を説明するための斜視図である。
【図８】図７の開放防止部材の分解斜視図である。
【図９】本発明の実施の第４の形態に係る開放防止部材を説明するための斜視図である。
【図１０】図９の他の形態の斜視図である。
【図１１】図９および図１０の開放防止部材に用いられる取付き片を拡大して示す斜視図である。
【図１２】本発明の実施の第５の形態に係る開放防止部材を説明するための斜視図である。
【図１３】図１２の開放防止部材の他の使用方法を説明するための斜視図である。
【図１４】図１２の開放防止部材のさらに他の使用方法を説明するための斜視図である。
【図１５】本発明の実施の第３の形態に係る開放防止部材の他の例を説明するための分解斜視図である。
【発明を実施するための形態】
【００５７】
（実施の形態１）
図１は本発明の実施の第１の形態に係る開放防止部材１の斜視図であり、図２はその分解斜視図である。この開放防止部材１は、バッグなどに設けられる両開きのスライドファスナー２に取付けて使用される。スライドファスナー２は、エレメント列２０の図示しない両端部から滑動して、該エレメント列２０をそれぞれ閉止可能な２つのスライダー２１，２２を備えて構成される。スライダー２１，２２は、一般に、エレメント列２０を開閉するスライダー本体２１１，２２１と、スライダー本体２１１，２２１に連結され、使用者が把持して（摘まんで）、スライダー本体２１１，２２１を移動させる引き手２１２，２２２とを備えて構成される。
【００５８】
このスライドファスナー２は、図１で示すように、２つのスライダー２１，２２を突き合わせるように、エレメント列２０の任意の箇所まで該スライダー２１，２２を移動させることで、ファスナー２（エレメント列２０）を閉じることができ、荷物の出し入れなどが容易になる。しかしながら、このスライドファスナー２では、スライダー２１，２２が、エレメント列２０の何れかの端部にある場合に比べて、途中箇所にある場合は、バッグの内部の荷物や、壁面などの外部への接触が起こり易い。また、最も頻度の高いのは、途中箇所にある場合、前記荷物の嵩（バッグの膨らみ）や重さによるバッグの生地（ファスナーテープ２３，２４）のストレス（テンション）が加わることである。これらの理由によって、該２つのスライダー２１，２２は、ファスナー２（エレメント列２０）の途中箇所にある場合、不所望に（自然に）、互いに離間し易く、つまりファスナー２（エレメント列２０）が開き易い。
【００５９】
そこで、このような不所望なファスナー２（エレメント列２０）の開放を防止するために、本実施形態の開放防止部材１が設けられる。この開放防止部材１は、バッグなどの販売当初から設けられていてもよいが、本実施形態の開放防止部材１は、使用者が、気に入った物を購入後、必要に応じて、後付けすることが可能であり、バッグなどの販売店だけでなく、バラエティーショップなどでも取扱うことができる。
【００６０】
注目すべきは、この開放防止部材１は、２つのスライダー２１，２２それぞれにおけるスライダー本体２１１，２２１と引き手２１２，２２２との少なくとも一方に形成されている孔部２１３，２１４：２２３，２２４（図１の例では２１３，２２３を使用）を挿通する紐状体１１，１２と、２つの紐状体１１，１２にそれぞれ取付けられ、互いに係合／離脱可能な対を成す第１および第２の係合部材１３，１４とを備えて構成されることである。すなわち、スライダー本体２１１，２２２には、引き手２１２，２２２の環状に形成される一端部２１５，２２５が遊挿して連結を実現する前記孔部２１３，２２３が形成されており、この孔部２１３，２２３や、引き手２１２，２２２の環状の一端部２１５，２２５が形成する孔２１６，２２６、或いは引き手２１２，２２２の他端部２１７，２２７において、紐などを通すために予め形成される孔部２１４，２２４などの何れかの孔部に、紐状体１１，１２を挿通し、その紐状体１１，１２で、第１および第２の対を成す係合部材１３，１４をぶら下げる。
【００６１】
第１の係合部材１３は、枠（リング）状の部分１３１を有し、該枠の一部分である一端１３１１側に形成されたフック１３２の孔１３２１に紐状体１１が通されることで、スライダー本体２１１に連結され、他の部分である他端１３１２側が第２の係合部材１４側に配置される。
【００６２】
第２の係合部材１４は、図２で示すように、紐状体１２に連結される基材１４１と、該基材１４１上に搭載され、前記枠状の部分１３１の幅よりも、薄く、かつ広い幅に形成される部分を有する抜け止め部材１４２とを備えて構成される。基材１４１には、紐状体１２が通る孔１４１２が形成される。そして、抜け止め部材１４２が、前記枠状の部分１３１の幅よりも、薄いことで、枠の中を通して係合／離脱が可能になり、広い部分を有することで、その枠で、抜け止め部材１４２が囲繞される。つまり、枠の周囲に引っ掛かって、抜け止めが可能となっている（係合状態を維持する）。
【００６３】
以上のように、スライドファスナー２において、本実施形態の開放防止部材１を設けることで、不所望なファスナー２（エレメント列２０）の開放を防止することができ、開いたファスナー２の口から荷物が落ちたりすることを防止したり、ファスナーを開け難くし、スリなどに対して防犯効果を得たりすることができる。
【００６４】
そして、そのような開放防止部材１を設けるにあたって、スーツケースのスライドファスナーのファスナー本体のように、所謂南京錠のＵ字の掛金が通る孔を設けておくような、予めそのような開放防止部材のための細工を施していない両開きのスライドファスナー２においても、本実施形態の開放防止部材１では、ファスナー本体２１１，２２１か引き手２１２，２２２に形成されている孔２１３，２１４，２１６；２２３，２２４，２２６に紐状体１１，１２を通して、第１および第２の対を成す係合部材１３，１４をぶら下げるだけで、後付けで、開放を防止することができる。
【００６５】
また、この開放防止部材１で注目すべきは、紐状体１１，１２として、結束バンドが用いられることである。ここで、図２は、紐状体１１，１２の取付け前であるが、分かり易くするために、図１の取付け後において連結に寄与しない不要な部分も、図２では切除せずに、新品状態で示している。詳しくは、図２を参照して、結束バンドから成る紐状体１１，１２は、片側にラック状の歯１１１，１２１が形成された帯状体１１２，１２２と、その帯状体１１２，１２２の一端部に設けられ、帯状体１１２，１２２が挿通する溝１１３，１２３を有するとともに、その溝１１３，１２３の内側の片面には、前記歯１１１，１２１に噛合う逆止爪１１４，１２４を有する頭部１１５，１２５とを備えて構成される。
【００６６】
したがって、図１で示すように、帯状体１１２，１２２を、スライダー本体２１１，２２１の孔部２１３，２２３および第１および第２の係合部材１３，１４の孔１３２１，１４１２に通した後、頭部１１５，１２５の溝１１３，１２３に通し、締め上げ、帯状体１１２，１２２の余剰部分を切除することで、第１および第２の係合部材１３，１４をスライダー２１，２２にぶら下げることができる。しかも、広く市販されていて安価な結束バンドを紐状体１１，１２に用いて、第１および第２の係合部材１３，１４をスライダー２１，２２に極めて容易に取付けることができるとともに、外れ難く、また強度も高く、高い信頼性で、ファスナー２（エレメント列２０）の不所望な開放を防止することができる。
【００６７】
図３は、第２の係合部材１４の基材１４１を、図２の状態からひっくり返して示す斜視図である。図２および図３を参照して、注目すべきは、基材１４１は、帯状体１２２を通す孔１４１２の形成される脚部１４１３と、該脚部１４１３の上に固着され、枠状の部分１３１の枠の幅よりも狭く形成される頭部１４１４とを備えて構成されることである。抜け止め部材１４２は、頭部１４１４上に搭載される。抜け止め部材１４２の基材１４１の頭部１４１４への取付けは、接着で行われてもよく、或いは抜け止め部材１４２の裏面から突出したネジやタッピンが螺着されることで行われてもよい。
【００６８】
したがって、第１の係合部材１３の枠状の部分１３１に、第２の係合部材１４の抜け止め部材１４２を通して係合／離脱可能とするにあたって、脚部１４１３で抜け止め部材１４２が或る程度の高さに浮上がり、さらに頭部１４１４が枠状の部分１３１に嵌り込むことも可能であることで、抜け止め部材１４２が枠状の部分１３１の上に被さり易くなり、抜け止め部材１４２を通し易くなる。つまり、第１および第２の係合部材１３，１４の係合／離脱作業が容易である。
【００６９】
また、注目すべきは、図２および図３で示すように、基材１４１は、脚部１４１３と頭部１４１４とを有し、脚部１４１３の下部には糸通し孔１４１２を有する釦で、特に頭部１４１４が平坦なもので構成されることである。したがって、該釦は、抜け止め部材１４２を取付け易く、つまり、平坦であるので、色々な種類の抜け止め部材１４２を取付けることができ、基材１４１に好適である。
【００７０】
さらにまた、注目すべきは、基材１４１は、その頭部１４１４において、脚部１４１３の第１の係合部材１３側に、該脚部１４１３から所定の間隔を開けて、倒れ込み防止用のカバー１４１５を有することである。このように構成することで、第２の係合部材１４の抜け止め部材１４２に、第１の係合部材１３の枠状の部分１３１が引っ掛けられ、引っ張られても、脚部１４１３から所定の間隔を開けて設けられたカバー１４１５によって、第２の係合部材１４は矢符１４９方向に倒れ難くなり、抜け止め部材１４２が枠状の部分１３１から外れ難くなる。ここで、抜け止め部材１４２の幅が大きいと、それを搭載した基材１４１は、比較的倒れ難いが、抜け止め部材１４２が小さい場合には、基材１４１は倒れ易くなり、前記カバー１４１５は特に効果的である。
【００７１】
また注目すべきは、第１の係合部材１３の枠状の部分１３１は、ハート形に形成されることである。スライダー２１，２２の離間を防止するためには、該枠状の部分１３１は、抜け止め部材１４２に引っ掛かればよく、無端環状に形成されたり、或いはＣ枠のように一部が途切れていてもよい。また、枠も、完全な円ではなく、抜け止め部材１４２を出し入れでき、かつ通ったら、簡単には抜けないように、抜け止め部材１４２の大きさに合わせた狭幅部分を有するいびつな形状であってもよい。そのような要求を満たすにあたって、ハート形は、意匠性が高く、好適である。
【００７２】
さらにまた、注目すべきは、本実施形態の開放防止部材１では、第１および第２の係合部材１３，１４は、装飾部材から成ることである。具体的には、図１および図２の例では、正面から見える枠状の部分１３１および抜け止め部材１４２の部分に、たとえばラメ粉を塗ったり（図１および図２の例では枠状の部分１３１）、メッキを施したり（図１および図２の例では抜け止め部材１４２）というような装飾を施すことで、意匠性を向上し、前記の後付けによる該開放防止部材１の取付けに対して、ファスナー２部分の違和感を抑えることができる。また、前記の正面から見える部分を、蛍光体で形成したり、蛍光材料を含有して形成することで、蛍光体が夜間に光って、交通安全にも寄与することができる。逆に、基材１４１の、特に頭部１４１４は、それらの装飾を引き立たせるように、艶消しの黒色の樹脂などから成ることが好ましい。第１の係合部材１３側にも基材１４１を用い、該第１の係合部材１３の枠状の部分１３１を基材１４１の頭部１４１４に固着することで、フック１３２を無くすことができる。
【００７３】
（実施の形態２）
図４は、本発明の実施の第２の形態に係る開放防止部材３の取付け前の斜視図である。この開放防止部材３が取付けられるスライドファスナー２の構成は、前述の図１と同様である。この開放防止部材３では、前述の開放防止部材１と同様に、結束バンドから成る紐状体１１，１２を用い、その説明を省略する。
【００７４】
注目すべきは、本実施形態の開放防止部材３では、第１の係合部材３３は、枠状の部分３３１を有し、該枠状の部分３３１の内側には膜としてゴム板３３２が貼付けられており、かつそのゴム板３３２には中心から３つ以上（図４では４つ）の方向に切れ目３３３が形成されて構成され、一方、第２の係合部材３４は、玉から成ることである。第１の係合部材３３は、枠の一端３３１１側に設けられた孔部３３１２に前記紐状体１１が通されてスライダー本体２１１の孔部２１３に取付けられ、他端３３１３側が第２の係合部材３４側に配置される。第２の係合部材３４である玉は、図２の例では、涙形に形成され、その基端部分に形成された孔部３４１に前記紐状体１２が通されてスライダー本体２２１の孔部２２３に取付けられ、玉の部分は、枠状の部分３３１よりも狭い幅で、かつゴム板３３２の切れ目３３３の長さに近い外周の長さに形成される。
【００７５】
このように構成することで、第２の係合部材３４が第１の係合部材３３の枠状の部分３３１に引っ掛かるのではなく、枠状の部分３３１に張ったゴムベラ（３３２）に、３方以上のスリット（３３３）を入れて切れ目が開くようにして、そこに第２の係合部材３４としての玉を通して、前記係合／離脱を実現する。したがって、玉（３４）の曲面がスリット（３３３）を乗越え、かつその際のゴム（３３２）の粘着が摩擦になり、該玉（３４）が切れ目３３３を一旦通過すると、抜け止めされる。また、ゴム（３３２）を拡げて、玉（３４）を引き抜くことができる。こうして、前記係合／離脱を簡単に実現することができる。
【００７６】
図４の他の実施形態として、図５に、開放防止部材３ａ，３ｂの取付け前の斜視図を示す。第２の係合部材３４の構成は図４と同様であり、省略している。注目すべきは、図５（ａ）では、前述の第１の係合部材３３が、結束バンドから成る紐状体１１ではなく、ナスカン４によって、スライダー本体２１１の孔部２１３に取付けられることである。したがって、枠の一端３３１１側に設けられた孔部３３１２には、ナスカン４の固定のリング４１が嵌り込み、フック４２の部分が、棒状体としてスライダー本体２１１の孔部２１３を挿通する。勿論、第２の係合部材３４も、ナスカン４でスライダー本体２２１の孔部２２３に取付けられてもよい。
【００７７】
一方、図５（ｂ）では、第１の係合部材３３ｂは、直接、結束バンドから成る紐状体１１でスライダー本体２１１の孔部２１３に取付けられるのではなく、一端３３１１側には孔部３３１２が設けられておらず、基材１４１ｂが固着されていることである。その基材１４１ｂは、前述の基材１４１のカバー１４１５を除いたもので、糸通し孔１４１２に、結束バンドから成る紐状体１１やナスカン４が通されてもよい。同様に、第２の係合部材３４も、基材１４１ｂを介して取付けられてもよい。
【００７８】
図４の他の実施形態として、図６に、開放防止部材３ｃの取付け前の斜視図を示す。注目すべきは、第１の係合部材３３ｃにおいて、枠状の部分３３１の内側は、膜として布３３２ｃが張られ、その中央は２つに割れて、両止め穴かがりされた釦穴３３４が形成されることである。これに対応して、第２の係合部材３４ｃには、基材１４１からカバー１４１５を除き、頭部１４１４ａが面取りされたものが用いられている。このように構成してもまた、抜け止めを行うことができる。膜としては、ウレタンなどが使用されてもよい。
【００７９】
（実施の形態３）
図７は本発明の実施の第３の形態に係る開放防止部材を説明するための斜視図であり、図８はその分解斜視図である。ここで、スライドファスナーにおいて、両開きのスライドファスナー２は、前述のように、開き易い。一方、図７で示すように、スライダー２１ｄが、エレメント列２０ｄの一方の開放側端部側から他方の閉止側端部２５側へ該エレメント列２０ｄを閉止してゆく片開きのスライドファスナー２ｄの場合、開口部を閉じるためには、スライダー２１ｄを、決められたエレメント列２０ｄの前記閉止側端部２５側へ寄せておく必要がある。その閉止側端部２５としては、バッグの端にあることが多く、そのため、スライダー２１ｄが、前述のような、内部の荷物に触れたり、壁などの外部に触れたりしても、ずれる可能性は比較的小さい。また、バッグに荷物が多く詰まっていたり、荷物が重かったりして、生地（ファスナーテープ２３ｄ）にストレス（テンション）が加わっても、スライダー２１ｄがエレメント列２０ｄの閉止側端部２５に寄っていると、ずれる可能性は比較的小さい。また、前記閉止側端部２５には、カバー（ベロ）が設けられて、スライダー２１ｄが、そのカバーの下に潜り込むことで、外部との接触防止が図られたりしていることもある。
【００８０】
しかしながら、両開きのスライドファスナー２は、スライダー２１，２２がどこかに接触した場合、たとえば一方のスライダー２１が押された場合、多くのケースで、２つのスライダー２１，２２は一緒に動き、押されたスライダー２２が開口部を開いてゆくと、押しているスライダー２１は閉じてゆくことになる。これに対して、片開きのスライドファスナー２ｄの場合、図７で示すように閉止側端部２５に前記カバーなどが設けられていない状態で、スライダー２１ｄが何かに触れてしまうと、開口部は、そのまま開口してしまう。そこで、このような片開きのスライドファスナー２ｄに後付けで、該片開きのスライドファスナー２ｄの開放を防止するのが、本実施形態の開放防止部材である。
【００８１】
本実施形態の開放防止部材で注目すべきは、エレメント列２０ｄの前記閉止側端部２５付近に、取付き片５が取付けられることである。取付き片５は、前記閉止側端部２５の表層側の基台５１と、裏面側の受け部材５２と、前記エレメント列２０ｄの隙間を通してそれらを連結する連結部材５３とを備えて構成される。連結部材５３は、図８の例では、基台５１の裏面側から立設されたビス５３１と、そのビス５３１が受け部材５２の中央に設けられた挿通孔５２２を挿通した後、螺着されるナット５３２とを備えて構成される。基台５１および受け部材５２の対向面には、スライダー２１ｄに開く方向の力が加わった際に、これらの基台５１および受け部材５２がずれないように、生地（ファスナーテープ２３ｄ）に噛み込む歯５１１，５２１が形成されている。図８の例では、２等辺三角形の板状の歯５１１，５２１が、相互の凹凸が噛み合わさるように、半周期ずれて配列されている。
【００８２】
この取付き片５上に、たとえば第２の係合部材として抜け止め部材１４２が取付けられ、スライダー２１ｄのスライダー本体２１１ｄまたは引き手２１２ｄには結束バンドの紐状体１１が通され、その紐状体１１に第１の係合部材１３が取付けられる。紐状体１１に代えて、ナスカン４が用いられてもよい。
【００８３】
このように構成することで、片開きのスライドファスナー２ｄにおいて、不所望なファスナー（前記エレメント列２０ｄ）の開放を防止することができ、開いたファスナーの口から荷物が落ちたりすることを防止したり、ファスナーを開け難くし、スリなどに対して防犯効果を得たりすることができる。
【００８４】
（実施の形態４）
図９および図１０は本発明の実施の第４の形態に係る開放防止部材を説明するための斜視図であり、図１１はそれに用いられる取付き片６を拡大して示す斜視図である。本実施形態も、上述の片開きのスライドファスナー２ｄを対象とする。注目すべきは、前記エレメント列２０ｄの前記閉止側端部２５付近に取付けられる取付き片６の構造が異なることである。図１１で示すように、取付き片６は、所謂ペーパークリップに、前記結束バンドの紐状体１１やナスカン４を通すフック６１が設けられて構成されている。図１１の側面視で、取付き片６は、大略的にコの字から遊端側が相互に近接するバネ片に形成されている。そのコの字は、上下の片６２，６３が縦の連結片６４で連結されて成り、緩やかなくの字に形成される連結片６４で弾発力を発生する。
【００８５】
上下の片６２，６３の遊端部は、スリット６５によって、幅方向に３分割されており、両側がカールされて筒部６６に形成され、中央は半円弧状にカールされて案内部６７に形成される。筒部６６には、線材を曲折して形成され、大略Ω型を引き延ばしたような形状を有する操作片６８の一対の軸部６８１が嵌り込む。前記操作片６８は、前記Ωの円弧部分の操作部６８２と、操作部６８２の両端から延びる脚部６８３と、その脚部６８３の先端から相互に離反する方向に伸びる一対の前記軸部６８１とを備えて構成される。操作部６８２および脚部６８３の弾発力に抗して、それらが弾性変形されて軸部６８１が近接変位された状態で、該軸部６８１が前記案内部材６７上で前記筒部６６に対向し、弾性変形が解除されることで該軸部６８１が筒部６６に嵌り込んで、操作片６８が上下の片６２，６３の遊端部で揺動自在となる。
【００８６】
この開放防止部材を購入した使用者は、前記操作片６８を操作して、上下の片６２，６３の間を拡げ、図９で示すように、エレメント列２０ｄの閉止側端部２５に設けられた止め具２６に覆い被せたり、図１０で示すように、止め具２６の手前の一方のファスナーテープのエレメント列２０ｄに覆い被せたりして、該取付き片６を取付ける。その後、前記操作部６８２および脚部６８３を弾性変形させて、軸部６８１を筒部６６から抜き取り、該操作片６８を外すことで、図９や図１０の状態となる。その後、フック６１に、結束バンドの紐状体１１やナスカン４によって、第１の係合部材１３が取付けられる。
【００８７】
このように構成することで、使用者は、容易に着脱自在に、片開きのスライドファスナー２ｄの開放防止部材を取付けることができる。前記フック６１は、上方の片６２のみに設けられればよいが、上下の片６２，６３の両方に設けられ、係合部材に合せて、たとえば結束バンドの紐状体１１用と、ナスカン４用とのように、適切な形状で使い分けられてもよい。また、取付き片６は、フック６８を取外し可能にするために、スリット６５で分割され、筒部６６および案内部６７が形成されているが、同じペーパークリップでも、着脱の道具が使用になるが、いわゆるガチャ玉のようなものが使用される場合には、そのような出っ張りが無く、意匠的に好ましい。
【００８８】
（実施の形態５）
図１２は、本発明の実施の第５の形態に係る開放防止部材を説明するための斜視図である。本実施形態も、上述の片開きのスライドファスナー２ｄを対象とする。注目すべきは、前記エレメント列２０ｄの前記閉止側端部２５付近に取付けられる取付き片７の構造が異なることである。本実施形態の取付き片７は、板状の基台７２に、フック７１を取付けて構成されている。基台７２の隅角部には、糸通し孔７３が形成されており、該取付き片７を購入した使用者は、その糸通し孔７３で、該取付き片７を生地（ファスナーテープ２３ｄ）に縫付ける。フック７１には、結束バンドの紐状体１１やナスカン４によって、第１の係合部材１３が取付けられる。このように構成してもまた、使用者は、容易に着脱自在に、片開きのスライドファスナー２ｄの開放防止部材を取付けることができる。
【００８９】
本実施形態の開放防止部材は、取付き片７が縫い付けによって生地（ファスナーテープ２３ｄ）に取付けられるので、図１３で示すようなオープンファスナー２ｅに好適である。また、生地（ファスナーテープ２３ｄ）に限らず、図１４のバッグ８で示すように、開閉の際に把持される把持片８１など、縫い付けが可能であれば、任意の箇所に取付けることができる。基台７２は、縫付けに限らず、熱溶着や、接着で取付けられてもよい。
【００９０】
さらにまた、図１４の例のように、復元可能性を或る程度犠牲にできれば、図８の取付き片５にも、他の形態を採用することが可能になる。図１５は、そのような他の形態の取付き片５ａの分解斜視図である。この取付き片５ａにおいて注目すべきは、前述の基台５１および受け部材５２に対して、共通の挟持片５０が用いられることである。この挟持片５０は、矩形の板状部材が、直線５５で半分に領域分割され、分割された２つの領域では、前記直線５０の方向に、相互に位相が半周期ずれた山５６と谷５７とが形成されて構成される。挟持片５０の中央には、ビス５３１ａを通すネジ孔５９が形成されている。
【００９１】
本実施形態では、挟持片５０が共通であるので、ビス５３１ａは単体で、ナット５３２ａとセットで使用される。しかしながら、挟持片５０を共通にする関係上、ネジ孔５９は、ビス５３１ａの頭部５３１ａ１と、ナット５３２ａとに共用できなければならない。そのため、ネジ孔５９は、ビス５３１ａの軸部５３１ａ２が遊挿する孔部５９１と、前記ナット５３２ａが嵌り込む六角孔５９２と、その外側のビス５３１ａの頭部５３２ａ１が嵌り込む丸孔５９３とを備えて構成される。六角孔５９２は、丸孔５９３に内接する径以下であればよい。
【００９２】
したがって、一対の挟持片５０を生地（ファスナーテープ２３ｄ）などを挟んで対向させ、該生地（ファスナーテープ２３ｄ）に形成したネジ孔および挟持片５０のネジ孔５９にビス５３１ａを通しナット５３２ａと締め付けるに当って、ナット５３２ａを押えていなくても空回りすることなく、ビス５３１ａの頭部５３１ａ１は丸孔５９３内で回転することができる。
【００９３】
このように構成してもまた、取付き片５ａを、ずれなく取付けることができる。また、前述の基台５１および受け部材５２に対して、共通の挟持片５０を用いても、片方を１８０°回転させることで、山５６と谷５７とを噛合わせることができる。これによって、部品点数を削減することができる。なお、中心の直線５５の両側には、山５６および谷５７は形成していない。これは、それらの位相が急激にずれても、生地（ファスナーテープ２３ｄ）には、対応した皺が寄らないためである。相互に共通で、一対の挟持片５０としては、対向面にランダムな棘を有するものや、相互に嵌着する子供用のブロックなどの形状のものも用いることができる。
【００９４】
以上のような開放防止部材１，３，３ａ，３ｂ，３ｃ；（５，６，７）を、スライドファスナー２，２ｄのスライダー２１，２２；２１ｄに備えることで、ファスナー２，２ｄ（エレメント列２０，２０ｄ）が不所望に開いてしまうことを予防できるバッグを実現することができる。バッグとしては、バックパック（リュックサック）は、目の届かない背後に背負われるので、ファスナー２，２ｄ（エレメント列２０，２０ｄ）が開いていても分からず、開かないようにする本実施形態の開放防止部材１，３，３ａ，３ｂ，３ｃ；（５，６，７）は、特に有効である。
【符号の説明】
【００９５】
１，３，３ａ，３ｂ，３ｃ    開放防止部材
１１，１２    紐状体
１１１，１２１    ラック状の歯
１１２，１２２    帯状体
１１３，１２３    溝
１１４，１２４    逆止爪
１１５，１２５    頭部
１３    第１の係合部材
１３１  枠状の部分
１３２  フック
１３２１    孔
１４    第２の係合部材
１４１  基材
１４１２    孔
１４１３    脚部
１４１４，１４１４ａ    頭部
１４１５    カバー
１４２  抜け止め部材
２，２ｄ    スライドファスナー
２０，２０ｄ    エレメント列
２１，２２；２１ｄ    スライダー
２１１，２２１，２１１ｄ    スライダー本体
２１２，２２２，２１２ｄ    引き手
２１３，２１４，２１６：２２３，２２４，２２６    孔部
２３，２４；２３ｄ，２３ｅ    ファスナーテープ
２５    閉止側端部
３３，３３ｂ，３３ｃ    第１の係合部材
３３１  枠状の部分
３３１２    孔部
３３２  ゴム板
３３２ｃ  布
３３３  切れ目
３３４  釦穴
３４    第２の係合部材
３４１  孔部
４    ナスカン
４１    固定のリング
４２    フック
２５    閉止側端部
５，５ａ，６，７    取付き片
５０    挟持片
５１，７２    基台
５１１，５２１    歯
５２    受け部材
５３    連結部材
６１，７１    フック
６２，６３    片
６４    連結片
６６    筒部
６８    操作片
７３    糸通し孔
８    バッグ
【要約】
【課題】スライドファスナーにおいて、不所望に開かないようにする。
【解決手段】スライドファスナー２は、２つのスライダー２１，２２を突き合わせるようにエレメント列２０の任意の箇所まで移動させることでファスナー２（エレメント列２０）を閉じることができるものの、スライダー２１，２２がエレメント列２０の端部にある場合よりも荷物や外部への接触などによって不所望に開き易い。そこで、引き手２１２，２２２の孔部２１３，２１４：２２３，２２４に紐状体１１，１２を挿通し、その紐状体１１，１２に取付けた一対の係合部材１３，１４を互いに係合或いは離脱させることによってスライダー２１，２２を一体化或いは分離する。したがって、不所望なファスナー２の開放を防止でき、開いた口からの荷物の脱落を防止したり、ファスナーを開け難くし、スリなどに対して防犯効果を得たりすることができる。
【選択図】図１【図１】
0006864169.tif 000002
【図２】
0006864169.tif 000003
【図３】
0006864169.tif 000004
【図４】
0006864169.tif 000005
【図５】
0006864169.tif 000006
【図６】
0006864169.tif 000007
【図７】
0006864169.tif 000008
【図８】
0006864169.tif 000009
【図９】
0006864169.tif 000010
【図１０】
0006864169.tif 000011
【図１１】
0006864169.tif 000012
【図１２】
0006864169.tif 000013
【図１３】
0006864169.tif 000014
【図１４】
0006864169.tif 000015
【図１５】
0006864169.tif 000016